(57)【要約】【課題】意匠性及び撮影時のホールド性を向上させることが可能で、且つ機器の小型化を実現しつつストロボの発光量を向上させることが可能な撮像装置を提供する。【解決手段】撮像光学系８とストロボ６を有する撮像機器本体２０と、撮像光学系８で結像された画像を表示する表示部３０とを有する。表示部３０は、収納状態と、該収納状態に対し相対的に位置の異なる使用可能状態とを有する。そして、撮像機器本体２０の一側面における撮像光学系８の下方側に、光入射方向側から順次、凸形状部２ａと凹形状部１３とを設ける。凹形状部１３に表示部３０を収納するように構成し、凸形状部２ａの内側にストロボ用のコンデンサ１４を配備し、凸形状部２ａを前記使用可能状態時の把持部とした。【選択図】図２
2008203665.tif 000002
【特許請求の範囲】
【請求項１】
撮像光学系とストロボを有する撮像機器本体と、前記撮像機器本体に連結され、前記撮像光学系で結像された画像を表示する表示部とを有する撮像機器において、
前記表示部は、収納状態と、該収納状態に対し相対的に位置の異なる使用可能状態とを有し、
前記撮像機器本体の一側面に、光入射方向側から順次、凸形状部と凹形状部とを設け、
前記凹形状部に前記表示部を収納するように構成し、前記凸形状部の内側に前記ストロボ用のコンデンサを配備し、前記凸形状部を前記使用可能状態の時の把持部としたことを特徴とする撮像機器。
【請求項２】
前記凸形状部は、前記凹形状部の段差により構成されることを特徴とする請求項１に記載の撮像機器。
【請求項３】
前記凸形状部の内側に前記ストロボ用のコンデンサの複数本を配備したことを特徴とする請求項１または２に記載の撮像機器。
【発明の詳細な説明】
【技術分野】
【０００１】
本発明は、カメラ等の撮像機器に関するものである。
【背景技術】
【０００２】
従来、上記分野の撮像機器には、表示部がヒンジ機構により撮像機器本体に対し相対的に回動可能に連結されているものがある。例えば、表示部を撮像光軸に略平行に撮像機器本体に収納することでコンパクトにし、撮像時は表示部を撮像機器本体に対し相対的に回動させ、表示部を撮像者へ向けることが可能になるものがあった（例えば、特許文献１参照）。
【０００３】
図６は、上記特許文献１に開示された従来の撮像機器の構成を示す斜視図である。
【０００４】
機器本体１００の一側部には、箱体２００が設けられ、箱体２００の裏面には液晶パネル２１０が設けられている。箱体２００は、ヒンジ２５０を介してブラケット２６０により機器本体１００に取り付けられている。そして、箱体２００は、図６に示す収納状態から、枢軸２７０を中心に上向きに９０度回動し、更にヒンジ２５０を中心に９０度回動して、液晶パネル２１０を撮像者に向けることができる。
【特許文献１】特開２００６−２１６３４９号公報
【発明の開示】
【発明が解決しようとする課題】
【０００５】
しかしながら、上記特許文献１の構造では、撮像機器本体１００の前面部ＦＲまで回動可能な表示部２００が配置されている。そのため、撮像時に表示部２００が撮像機器本体１００より離れたときは、撮像機器本体１００の前面部ＦＲが表示部２００の厚み分だけ薄くなる。その結果、撮影者が機器本体をホールドするための把持部２８０が狭くなり、ホールド感を向上させる上で難点があった。
【０００６】
さらに、撮像機器本体の前面部ＦＲに撮像機器本体１００と表示部２００との分割部分があるため、撮像機器の意匠性の向上をさせる上でも難点があった。
【０００７】
また、特許文献１の構造では、大容量のストロボ用コンデンサを配置するためのスペースを充分に確保することが難しく、発光量を増加させる上でも問題があった。
【０００８】
本発明は上記従来の問題点に鑑み、意匠性及び撮影時のホールド性を向上させることが可能な撮像機器を提供することを第１の目的とする。また、機器の小型化を実現しつつストロボの発光量を向上させることが可能な撮像機器を提供することを第２の目的とする。
【課題を解決するための手段】
【０００９】
本発明は上記目的を達成するため、撮像光学系とストロボを有する撮像機器本体と、前記撮像機器本体に連結され、前記撮像光学系で結像された画像を表示する表示部とを有する撮像機器において、前記表示部は、収納状態と、該収納状態に対し相対的に位置の異なる使用可能状態とを有し、前記撮像機器本体の一側面に、光入射方向側から順次、凸形状部と凹形状部とを設け、前記凹形状部に前記表示部を収納するように構成し、前記凸形状部の内側に前記ストロボ用のコンデンサを配備し、前記凸形状部を前記使用可能状態の時の把持部としたことを特徴とする。
【発明の効果】
【００１０】
本発明によれば、意匠性及び撮影時のホールド性を向上させることができる。また、機器の小型化を実現しつつストロボの発光量を向上させることが可能になる。
【発明を実施するための最良の形態】
【００１１】
以下、本発明の実施の形態について、図面を参照しながら説明する。
【００１２】
＜本実施の形態に係る撮像機器の構造＞
図１及び図２は、本発明の実施の形態に係る撮像機器の構造を示す外観斜視図である。図１は、撮像機器の電源がオフ状態で表示部収納時を示し、図２は、撮像機器の電源がオン状態で表示部セッティング時を示している。
【００１３】
この撮像機器は、撮像光学系８とストロボ６を有する撮像機器本体２０と、撮像光学系８で結像された画像を表示する液晶の表示部３０とを有する。表示部３０は、図１に示すような収納状態と、図２に示すような使用可能状態とを有し、ヒンジ機構４によって撮像機器本体２０に連結されている。
【００１４】
即ち、表示部３０は、ヒンジ機構４に保持され撮像機器本体２０に対し相対的に回動可能となっている。そして、表示部３０の収納状態では、撮像機器本体２０の一側面に形成された凹形状の表示部収納用スペース１３に表示部３０が収納されて撮像光軸方向と略平行となる。また、使用可能状態では、表示部３０が収納状態から開いて撮像機器本体１００より離れ、撮像者側に向けた状態となる。
【００１５】
また、図２に示すように、表示部収納用スペース１３は、撮像機器本体２０の前面部１５まで凹形状部にしないようにして形成されている。これによって、撮像機器本体２０の前面部１５と表示部収納用スペース１３との間には凸形状部２ａが形成される。即ち、撮像機器本体２０の一側面における撮像光学系８よりも下方側には、光入射方向側から順次、凸形状部２ａと、凹形状の表示部収納用スペース１３とが形成されている。そして、凸形状部２ａは、表示部収納用スペース１３の段差により構成され、表示部３０が使用可能状態であるときに撮影者が撮影機器を把持するための把持部となる。
【００１６】
このように、表示部収納用スペース１３を、撮像機器本体２０の前面部１５まで凹形状にしないような構造にすることにより、表示部３０が使用可能状態であっても、凸形状部２ａが撮像機器本体２０の前面部１５に有ることで厚みのとれた把持部となる。これにより、手のひらで全体で包み込むような持ち方が可能となり、ホールド性の優れた撮像機器を実現することができる。また、撮像機器本体２０の前面部１５に表示部３０との分割部を設ける必要もなく、一体感のある意匠性に優れた撮像機器を実現することができる。
【００１７】
撮像機器本体２０の上部には、撮影レンズを有するレンズ鏡筒ユニット８が配置され、さらにその上部にはストロボユニット６とレリーズボタン７が配置されている。そして、レンズ鏡筒ユニット８の前部には、レンズ鏡筒ユニット８を保護するためのバリアユニット５が配置されている。
【００１８】
バリアユニット５は、撮像機器の電源がオン／オフされることに従って、レンズ鏡筒ユニット８を保護する位置（閉じ位置：電源オフ時）と開放する位置（開き位置：電源オン時）に進退可能に取り付けられている。即ち、電源スイッチ１により、機器の電源がオンされると、バリアユニット５が閉じ位置から開き位置に退避し、レンズ鏡筒ユニット８が撮像機器外装２より突出し、この中に配置されている撮影レンズにより、被写体画像が撮像素子に結像されるようになっている。
【００１９】
撮像機器本体２０の下部には、三脚取り付け部９、撮像機器の電池室を覆う電池蓋１０、外部機器とのデータの授受を行う端子を覆う端子蓋１１、及びメモリーカード蓋１２が配備されている。メモリーカード蓋１２の内部には、撮像データを記録するメモリーカードスロットが配置されメモリーカードの挿抜が可能となっている。
【００２０】
図３及び図４は、本実施の形態に係る撮像機器の内部構造図であり、図３は、図２の状態の撮像機器から撮像機器外装２等を取り外した状態を示し、図４は、表示部３０の収納状態時における撮像機器の横断面図である。
【００２１】
図３及び図４に示すように、上記凸形状部２ａの内側には、ストロボ用コンデンサ１４が配備されている。また、表示部収納用スペース１３の内側には、電池を収納する電池室１７が配備されている。さらに、ストロボ用コンデンサ１４と電池室１７の近傍には、回路基板１６が配備されている。
【００２２】
ストロボ用コンデンサ１４は、蓄えられた電荷をストロボユニット６へ放電する機能を有する。本実施の形態では、必要な発光量を確保する点と、撮像機器本体を必要以上に大きくさせずにスペース効率を上げる点を考慮して、ストロボ用コンデンサ１４を例えば２本使用している。ストロボ用コンデンサ１４は２本共にバリアユニット５に両面テープ（不図示）で固定されている。
【００２３】
このように、本実施の形態では、表示部収納用スペース１３と撮像機器の前面部１５との間にホールド性向上のために設けた前記凸形状部２ａの内側を使って、ストロボ用コンデンサ１４を配置している。このような構造により、回路基板１６及び電池室１７の必要スペースを侵すことのない、スペース効率に優れた撮像機器を実現している。
【００２４】
図５は、本実施の形態に係る撮像機器の主要部の配置を示す模式図である。
【００２５】
撮影者が握りやすい撮像機器は、前面側（図１及び図５に示すＺ方向のプラス側）が多少大きく、後ろ側（図１及び図５に示すＺ方向のマイナス側）が小さくなるように構成されるのが望ましい。本実施の形態では、レンズ鏡筒ユニット８を覆うように開閉するためにＹ方向にスペースが必要であるバリアユニット５を、撮像機器本体２０の前面側に配置し、後ろ側に表示部３０を配置したので、撮影者が握りやすい構成となっている。
【００２６】
さらに、ストロボ用コンデンサ１４を、前記凸形状部２ａの内側のスペース２ｂ（図５参照）に配置するようにしたので、表示部３０とバリアユニット５との間の空間を有効利用することができる。このため、ストロボ用コンデンサ１４の容量を大きくすることができる。
【００２７】
＜本実施の形態の利点＞
本実施の形態によれば、撮像時の表示部３０が撮像機器本体２０から離れた使用可能状態でも、凸形状部２ａが撮像機器本体２０の前面部１５に有ることで厚みのとれた把持部となる。そのため、撮像機器を手のひらで全体で包み込むような持ち方が可能となり、ホールド性の優れた撮像機器を提供することができる。そして、凸形状部２ａの内部にストロボ用コンデンサ１４を配置することにより、スペース効率の良い撮像機器本体２０を実現することが可能となり、撮像機器の小型化が可能となる。
【００２８】
また、光入射方向側から順次、凸形状部２ａと、凹形状の表示部収納用スペース１３とを形成し、表示部収納用スペース１３を凸形状部２ａの段差により構成した。これにより、従来のように撮像機器本体前面に回動可能な表示部との分割部を設ける必要もなく、一体感のある意匠性に優れた撮像機器を実現することができる。
【００２９】
凸形状部２ａの内側に配備するストロボ用コンデンサ１４を複数本（例えば２本）としたので、ストロボ用コンデンサの全体の容量を低下させることなく、凸形状部２ａを小さくすることができる。これにより、更にスペース効率の良い撮像機器本体となり、撮像機器の更なる小型化・意匠性の向上が可能になる。
【００３０】
以上のように、上記実施の形態によれば、撮像時のホールド性や、意匠性に優れ、且つ機器の小型化を実現しつつストロボユニット６の発光量を向上させることが可能になる。
【図面の簡単な説明】
【００３１】
【図１】実施の形態に係る撮像機器の構造を示す外観斜視図である。
【図２】実施の形態に係る撮像機器の構造を示す外観斜視図である。
【図３】実施の形態に係る撮像機器の内部構造図である。
【図４】表示部の収納状態時における撮像機器の横断面図である。
【図５】実施の形態に係る撮像機器の主要部の配置を示す模式図である。
【図６】従来の撮像機器の構成を示す斜視図である。
【符号の説明】
【００３２】
４  ヒンジ機構
５  バリアユニット
６  ストロボユニット
８  レンズ鏡筒ユニット
１３  表示部収納用スペース
１４  ストロボ用コンデンサ
１５  撮像機器前面部
１６  回路基板
２０  機器本体
３０  表示部
【図１】
2008203665.tif 000003
【図２】
2008203665.tif 000004
【図３】
2008203665.tif 000005
【図４】
2008203665.tif 000006
【図５】
2008203665.tif 000007
【図６】
2008203665.tif 000008